(57)【要約】      （修正有）【課題】隣席の遊技者に不快感を与えることがなく、タバコ臭を確実に除去し、設置工事を容易にし、長期間に渡って優れた除去性能を発揮する。【解決手段】本発明に係る遊技機用汚染空気浄化システム１は、複数の遊技機２が設置された遊技島３の上方に設けられ、タバコ９の煙１０により汚染された空気を浄化する空気浄化部１１が設けられた空気浄化装置４と、遊技島３の前方において空気浄化装置４から各遊技機２の上部まで降下し、空気浄化部１１において浄化された空気を斜め上方に向かって吹出し可能な吹出し口２３が設けられた吹出しユニット２２とを備えていることを特徴とする。【選択図】図１
2008029569.tif 000002
【特許請求の範囲】
【請求項１】
複数の遊技機が設置された遊技島の上方に設けられ、タバコの煙により汚染された空気を浄化する空気浄化部が設けられた空気浄化装置と、
前記遊技島の前方において前記空気浄化装置から前記各遊技機の上部まで降下し、前記空気浄化部において浄化された空気を斜め上方に向かって吹出し可能な吹出し口が設けられた吹出しユニットと、
を備えていることを特徴とする遊技機用汚染空気浄化システム。
【請求項２】
前記空気浄化装置には、前記吹出し口から斜め上方に向かって1ｍ／ｓ以上の風速で空気を吹出す能力を備えた送風機が設けられている請求項１に記載の遊技機用汚染空気浄化システム。
【請求項３】
前記空気浄化部は、粉塵を除去するための除塵フィルターと、該除塵フィルターの下流側に配置され、タバコ臭を除去するための除臭フィルターとを備えており、該除臭フィルターは、タバコ臭の異なる成分をそれぞれ除去する複数のタイプのフィルターから構成されている請求項１又は２に記載の遊技機用空気浄化システム。
【請求項４】
前記除臭フィルターには、アルデヒド類成分を除去するフィルターが設けられ、該アルデヒド類成分を除去するフィルターの上流側に、酸性ガス成分を除去するフィルターとアルカリ性ガス成分を除去するフィルターがそれぞれ配置されている請求項１〜３のいずれか１の請求項に記載の遊技機用空気浄化システム。
【請求項５】
前記吹出しユニットは、少なくとも前記各遊技機の左右両側に設けられている請求項１〜４のいずれか１の請求項に記載の遊技機用汚染空気浄化システム。
【請求項６】
前記吹出しユニットは、上下方向に伸縮可能に設けられている請求項１〜５のいずれか１の請求項に記載の遊技機用汚染空気浄化システム。
【請求項７】
前記吹出ユニットには、前記吹出し口が垂直方向に沿って複数設けられている請求項１〜６のいずれか１の請求項に記載の遊技機用汚染空気浄化システム。
【発明の詳細な説明】
【技術分野】
【０００１】
本発明は、パチンコ遊技機やスロットマシン等の遊技者の喫煙により発生したタバコの煙によって汚染された空気を浄化するために設けられる遊技機用汚染空気浄化システムに関する。
【背景技術】
【０００２】
一般に、パチンコホール等の遊技場には、パチンコ遊技機やスロットマシン等の複数の遊技機が設置されて幾つもの遊技島が形成されており、各遊技島において、遊技者は各遊技機に向かってそれぞれ遊技を行っている。このような状況の下、喫煙しながら遊技を楽しむ遊技者も多いため、遊技場内の空気環境は、タバコの煙によって悪化しがちである。
【０００３】
そこで、従来、遊技場内のタバコの煙によって汚染された空気環境を改善するため、各種技術が提案されている（例えば、特許文献１〜７参照）。
【０００４】
これらの従来の技術のうち、遊技機の周りに気流を形成させるシステムとしては、例えば、特許文献１のようにパチンコ遊技機自体に設置した排出口から前方に向かってエアを送風する遊技機や、特許文献２のように遊技機の横に設置した縦長の風洞に吸引口を設けて汚染空気を吸引する汚染空気吸引清浄装置や、特許文献３のように床下から空気を吹出す空調システムや、特許文献４及び特許文献５のようにノズルやエア吹出部から空気を吹出してエアカーテンを形成してタバコの煙の流入を防止する機構等が知られている。
【０００５】
また、タバコ臭を除去する空気清浄機としては、特許文献６のように空気に紫外線を照射してタバコのヤニ臭を除去するものや、特許文献７のようにタバコ臭の各成分を吸着・除去する複数のフィルターを設置したもの等が知られている。
【特許文献１】特開２００５−６６０８２号公報
【特許文献２】特開２００４−１２５２９２号公報
【特許文献３】特開平８−２６１５０５号公報
【特許文献４】特開平１０−１５２１９号公報
【特許文献５】特開平１０−１６５６２５号公報
【特許文献６】特開平１１−６３５９３号公報
【特許文献７】特開２００５−３２９１９５号公報
【発明の開示】
【発明が解決しようとする課題】
【０００６】
しかしながら、上記した従来の技術のうち、特許文献１や特許文献２に開示された技術では、タバコの煙の拡散を防止することができないため、隣席の遊技者に不快感を与えるといった問題や、タバコ臭を除去することができないといった問題があった。
【０００７】
また、特許文献３に開示された技術では、床下にダクトを敷設しなければならず、大規模な工事を必要とするため、既存の遊技場に設置するのが難しいといった問題や、床上の吹出し口に落下したゴミや飲食物等が再度飛散して空気が汚染されるといった問題があった。
【０００８】
さらに、特許文献４や特許文献５に開示された技術では、遊技機の間にノズル箱を設置したり、天井裏にエアの分配箱を設置したり、或いは、玉箱カウンター台にエア吹出口を設置したりしなければならず、大規模な工事を必要とするため、既存の遊技場に設置するのが難しいといった問題があった。
【０００９】
さらにまた、特許文献６に開示された技術では、タバコ臭を完全に除去することができず、また、特許文献７に開示された技術では、タバコ臭の主成分であるアセトアルデヒドを除去するフィルターを上流側に設置しているため、除去能力がすぐに低下してしまうと共に、粉塵を除去するフィルターを備えていないため、下流側のケミカルフィルターや活性炭の除去性能が低下するといった問題があった。
【００１０】
本発明は、上記した課題を解決すべくなされたものであり、隣席の遊技者に不快感を与えることがなく、タバコ臭を確実に除去することができ、設置工事が簡単で、長期間に渡って優れた除去性能を発揮することのできる遊技機用汚染空気浄化システムを提供することを目的とするものである。
【課題を解決するための手段】
【００１１】
上記目的を達成するため、本発明に係る遊技機用汚染空気浄化システムは、複数の遊技機が設置された遊技島の上方に設けられ、タバコの煙により汚染された空気を浄化する空気浄化部が設けられた空気浄化装置と、前記遊技島の前方において前記空気浄化装置から前記各遊技機の上部まで降下し、前記空気浄化部において浄化された空気を斜め上方に向かって吹出し可能な吹出し口が設けられた吹出しユニットとを備えていることを特徴とする。
【００１２】
そして、前記空気浄化装置には、前記吹出し口から斜め上方に向かって1ｍ／ｓ以上の風速で空気を吹出す能力を備えた送風機が設けられているのがよい。
【００１３】
また、前記空気浄化部は、粉塵を除去するための除塵フィルターと、該除塵フィルターの下流側に配置され、タバコ臭を除去するための除臭フィルターとを備えており、該除臭フィルターは、タバコ臭の異なる成分をそれぞれ除去する複数のタイプのフィルターから構成されているのがよい。
【００１４】
さらに、前記除臭フィルターには、アルデヒド類成分を除去するフィルターが設けられ、該アルデヒド類成分を除去するフィルターの上流側に、酸性ガス成分を除去するフィルターとアルカリ性ガス成分を除去するフィルターがそれぞれ配置されているのがよい。
【００１５】
さらに、前記吹出しユニットは、少なくとも前記各遊技機の左右両側に設けられているのがよく、また、上下方向に伸縮可能に設けられているのがよい。
【００１６】
さらにまた、前記吹出ユニットには、前記吹出し口が垂直方向に沿って複数設けられているのがよい。
【発明の効果】
【００１７】
本発明によれば、隣席の遊技者に不快感を与えることがなく、タバコ臭を確実に除去することができ、設置工事が容易となり、長期間に渡って優れた除去性能を発揮することができる。
【発明を実施するための最良の形態】
【００１８】
以下、図面を参照しつつ、本発明の実施の形態について説明する。ここで、図１は本発明の実施の形態に係る遊技機用汚染空気浄化システムを示す斜視図、図２は同遊技機用汚染空気浄化システムを示す側面図、図３は同遊技機用汚染空気浄化システムの空気浄化装置を示す側面図である。
【００１９】
本発明の実施の形態に係る遊技機用汚染空気浄化システム１は、直線的に配列された複数の遊技機２を背中合わせに２列平行に配置することにより形成された遊技島３毎に設けられており、遊技島３の上方に設置される空気浄化装置４と、空気浄化装置４から遊技島３の前方に降下するように形成される吹出しユニット５とを備えている。
【００２０】
空気浄化装置４は、遊技島３上において遊技機２の配列方向に沿って互いに対向するように設置される一対のダクトチャンバー６と、ダクトチャンバー６の上方に設置され、接続ダクト７を介してダクトチャンバー６に接続される空気浄化装置本体８とを備えている。
【００２１】
空気浄化装置本体８は、タバコ９の煙１０により汚染された空気を浄化するための空気浄化部１１と、空気浄化部１１の下流側に配置される送風機１２と、送風機１２の下流側に設けられる給気チャンバー部１３と、空気浄化部１１の上流側に設けられる還気チャンバー部１４と、還気チャンバー１４の側面に開口された吸込み口１５とを備えている。
【００２２】
図３に示されているように、空気浄化部１１には、空気の流れ方向（図中の矢印）に沿って上流側から順に、粉塵を除去するための高性能除塵フィルター１６、ＶＯＣ（Volatile Organic Compounds:揮発性有機化合物）成分除去用活性炭から成る第１除臭フィルター１７、酸性ガス成分除去用添着活性炭から成る第２除臭フィルター１８、アルカリ性ガス成分除去用添着活性炭から成る第３除臭フィルター１９、アルデヒド類成分除去用添着活性炭から成る第４除臭フィルター２０、各添着活性炭１８，１９，２０から発生する成分を除去する活性炭から成る第５除臭フィルター２１がそれぞれ配設されている。
【００２３】
吹出しユニット５は、縦長円筒形状を成し、各ダクトチャンバー６の下面側に垂直に接続され、各遊技機２の間及び遊技島３の両端部の各前方にそれぞれ配置されている。そして、この吹出しユニット５には、円筒形状のダクト部２２が上下方向に伸縮可能に設けられており、ダクト部２２は、遊技者が喫煙時に引き下げることにより伸長され、その伸長時には、下端がＦＬ＋1200mm程度の高さに位置するようになっており、遊技者の非喫煙時には上方に収縮可能となっている。したがって、遊技者が喫煙しているか喫煙していないかに拘らず、このダクト部２２が遊技者の遊技の邪魔になることはない。
【００２４】
また、吹出しユニット５には、ダクト部２２の下端側面に吹出し口２３が開口されており、この吹出し口２３から遊技機２の前面に沿って斜め上方に向かって空気が吹出し可能となっている。この吹出し口２３の吹出し角度は水平面に対し仰角４５°乃至７５°であることが好ましい。そして、送風機１２の送風能力は、この吹出し口２３から吹出される空気の風速が1ｍ／ｓ以上となるように選定されている。
【００２５】
次に、上記した遊技機用汚染空気浄化システム１の作用について説明する。
【００２６】
遊技機２の前方において座っている遊技者２４が喫煙する際、吹出しユニット５のダクト部２２を下方に伸長させると、吹出し口２３から斜め上方に吹出される空気による誘引効果と、タバコ９の発熱による上昇効果とにより、タバコ９の煙１０により汚染された空気は、拡散することなく上昇し、吸込み口１５を介して空気浄化装置本体８の内部に吸い込まれる。なお、この時、空気は吹出し口２３から斜め上方に吹出され、遊技者の顔に当ることがないため、遊技者がドラフトを感じることはない。
【００２７】
次いで、このようにして空気浄化装置本体８の内部に吸い込まれた汚染空気は、還気チャンバー部１４を通って空気浄化部１１に流入する。この空気浄化部１１では、先ず、高性能除塵フィルター１６により前記汚染空気中の粉塵が除去された後、第１除臭フィルター１７により前記汚染空気中のＶＯＣが除去される。さらに、第２除臭フィルター１８により前記汚染空気中の酸性ガス成分が除去され、第３除去フィルター１９により前記汚染空気中のアルカリ性ガス成分が除去された後、第４除臭フィルター２０によりタバコ臭の主成分であるアセトアルデヒドが除去され、最後に、第５除臭フィルター２１により第２、第３、第４の各除臭フィルター１８，１９，２０から発生した成分が除去される。
【００２８】
そして、空気浄化部１１によって浄化された空気は、送風機１２により給気チャンバー部１３に送出され、接続ダクト７、ダクトチャンバー６を通って吹出しユニット５に流入後、吹出し口２３から斜め上方に吹出され、遊技機用汚染空気浄化システム１内を循環する。
【００２９】
以下、この時の遊技機用汚染空気浄化システム１の除去性能を評価する。
【００３０】
図４は本実施の形態に係る遊技機用汚染空気浄化システム１においてタバコ臭の除去性能を評価するために、遊技場２５内で１本のタバコ９を燃焼させて煙１０を発生させたＡ地点と、タバコ臭の濃度を測定したＢ，Ｃ，Ｄの３地点の位置を示す平面図である。また、表１はＡ地点の右隣席（Ｂ地点）において、また、表２はＡ地点の左隣席（Ｃ地点）において、さらに、表３は廊下（Ｄ地点）において、それぞれ、遊技機用汚染空気浄化システム１を設置した場合と設置しない場合にタバコ臭の各成分（粉塵、ＴＶＯＣ（Total Volatile
Organic Compounds:総揮発性有機化合物）、ニコチン、アセトアルデヒド、アンモニア、酢酸）の空気中の含有量を測定した結果を示している。
【００３１】
2008029569.tif 000003
【００３２】
2008029569.tif 000004
【００３３】
2008029569.tif 000005
【００３４】
上記表１〜３によれば、遊技機用汚染空気浄化システム１を設置した場合には、タバコ９の煙１０を発生させたＡ地点の左右隣席（Ｂ，Ｃ地点）の空気は、Ａ地点から十分離れたＤ地点の空気と同程度まで浄化されていることが判明した。
【００３５】
また、表４は空気浄化装置４の循環風量を２５０ｍ３／ｈに設定し、１本のタバコ９を燃焼させた場合の空気浄化装置４によるタバコ臭の各成分（粉塵、ＴＶＯＣ、ニコチン、アセトアルデヒド、アンモニア、酢酸）の除去性能を示したものである。この表４によれば、空気浄化装置４は、タバコ臭の各成分を少なくとも８６％以上除去する性能を備えていることが分かる。
【００３６】
2008029569.tif 000006
【００３７】
また、図５は、空気浄化装置４の循環風量を２５０ｍ３／ｈに設定し、タバコ９の燃焼本数を６本（空気浄化装置４の入口におけるアセトアルデヒドの濃度は１２００μｇ／ｍ３。通常の使用時の１０倍程度の濃度）とした条件下において、本実施の形態に係る空気浄化装置４と、上記特許文献７に開示された従来の空気清浄機３１とを使用して、それぞれのアセトアルデヒド除去率と経過時間との関係を測定した結果を比較して示している。なお、従来の空気清浄機３１は、図６に示されているように、アルデヒド類除去用添着活性炭３２の下流側にアルカリ性ガス成分除去用添着活性炭３３が配置され、さらにアルカリ性ガス成分除去用添着活性炭３３の下流側に送風機３４が配置されて構成されている。
【００３８】
この場合、図５から明らかなように、本実施の形態に係る空気浄化装置４は、タバコ臭の主成分であるアセトアルデヒドの除去率を長期間に渡って高く維持できることが分かる。
【００３９】
このように上記した本実施の形態に係る遊技機用汚染空気浄化システム１によれば、タバコ臭を高い除去率で確実に除去することができると共に、タバコ９の煙１０の拡散を防止することができるため、隣席の遊技者に不快感を与えることがない。
【００４０】
また、既存の遊技場に遊技機用汚染空気浄化システム１を設置する場合であっても、既存の壁、天井や床等を解体する必要がなく、大規模な工事を必要としない。また、遊技島３の上方のスペースを有効に利用しているため、空気浄化装置４等の設置スペースが確保し易く、既存の遊技場に容易に設置することができ、工事費の低減化を図ることができる。さらに、遊技場の上部空間を利用しているため、床面のゴミや飲食物等を飛散させることがなく、効率的に空気を浄化することができる。
【００４１】
さらに、本実施の形態に係る遊技機用汚染空気浄化システム１によれば、粉塵を除去する高性能除塵フィルター１６を上流側に設置し、タバコ臭の主成分であるアセトアルデヒドを除去するフィルター２０を下流側に設置することにより、下流側の除臭フィルターを保護することができ、各種成分を除去する除臭フィルター１７，１８，１９，２０，２１の除去性能を長期間に渡って高く維持することができる。
【００４２】
なお、上記した実施の形態では、吹出し口２３をダクト部２２の下端にのみ設置しているが、例えば、図７に示すように、吹出し口２３を垂直方向に沿って複数設けてもよい。この場合には、タバコ１０の煙１０を上方に誘引する効果をさらに高めることができるため、タバコ臭の除去性能をさらに向上させることができる。
【００４３】
また、上記した実施の形態では、遊技機用汚染空気浄化システム１を、遊技機２を背中合わせに２列平行に配置した遊技島３毎に設置しているが、これは単なる例示に過ぎず、壁際に沿って遊技機２を１列に直線的に配列した遊技島毎に設置したり、或いは、複数の遊技島に渡って設置したり、或いは、各遊技島に複数台ずつ設置したりする等、各種変更が可能である。
【図面の簡単な説明】
【００４４】
【図１】本発明の実施の形態に係る遊技機用汚染空気浄化システムを示す斜視図である。
【図２】本発明の実施の形態に係る遊技機用汚染空気浄化システムを示す側面図である。
【図３】本発明の実施の形態に係る遊技機用汚染空気浄化システムの空気浄化装置を示す側面図である。
【図４】本発明の実施の形態に係る遊技機用汚染空気浄化システムの除去性能を評価する時に、タバコを燃焼させて煙を発生させた地点とタバコ臭の濃度を測定した地点の位置を示す平面図である。
【図５】本発明の実施の形態に係る遊技機用汚染空気浄化システムの空気浄化装置と従来の空気清浄機のそれぞれの場合において、アセトアルデヒド除去率と経過時間との関係を比較して示す図である。
【図６】従来技術の空気浄化装置を示す側面図である。
【図７】本発明の実施の形態に係る遊技機用汚染空気浄化システムの別の例を示す側面図である。
【符号の説明】
【００４５】
１          遊技機用汚染空気浄化システム
２          遊技機
３          遊技島
４          空気浄化装置
５          吹出しユニット
９          タバコ
１０        煙
１１        空気浄化部
１２        送風機
１６        高性能除塵フィルター
１７        第１除臭フィルター
１８        第２除臭フィルター
１９        第３除臭フィルター
２０        第４除臭フィルター
２１        第５除臭フィルター
２３        吹出し口
【図１】
2008029569.tif 000007
【図２】
2008029569.tif 000008
【図３】
2008029569.tif 000009
【図４】
2008029569.tif 000010
【図５】
2008029569.tif 000011
【図６】
2008029569.tif 000012
【図７】
2008029569.tif 000013